(57)【要約】【課題】円盤型記録媒体をスライドさせることなく収納したり取り出したりできるようにし、損傷を生じさせることなく円盤型記録媒体の出し入れが容易な収納体を得る。【解決手段】台板２の片面側に、円盤型記録媒体Ａが着脱可能に配置できる収納凹部３と、収納凹部３の開口周辺６の複数箇所を該開口周辺６に沿って凹陥されて段落とし状にして収納凹部３と連続する凹部７と、凹部７に連続し開口周辺６に沿って台板２内に位置するガイド溝８とを設け、収納凹部３に円盤型記録媒体Ａを配置し、円盤型記録媒体Ａの外周形状に対応した円盤型であって凹部７に対応した凸部１９を有する透明カバー５が円盤型記録媒体Ａに重ねられ、透明カバー５の回転により凸部１９を凹部７からガイド溝８に位置させ、ガイド溝８に凸部１９を位置させて開口周辺６に係止した透明カバー５と収納凹部３とで円盤型記録媒体Ａを保持する構成とした。【選択図】    図１
2006123969.tif 000002
【特許請求の範囲】
【請求項１】
台板の片面側に、ＣＤ−ＲＯＭやＤＶＤ−ＲＯＭなどの円盤型記録媒体の外周形状に対応した円穴状であって前記円盤型記録媒体が着脱可能に配置できる収納凹部と、前記収納凹部の開口周辺の複数箇所を該開口周辺に沿って凹陥されて段落とし状にして収納凹部と連続する凹部と、前記凹部に連続し前記開口周辺に沿って台板内に位置するガイド溝とを設け、
前記収納凹部に配置した円盤型記録媒体を配置し、
円盤型記録媒体の外周形状に対応した円盤型であって前記凹部に対応した凸部を有する透明カバーが前記円盤型記録媒体に重ねられ、透明カバーの回転により凸部を前記凹部からガイド溝に位置させ、ガイド溝に凸部を位置させて開口周辺に係止した前記透明カバーと収納凹部とで円盤型記録媒体を保持する構成としたことを特徴とする円盤型記録媒体保持体。
【請求項２】
上記ガイド溝には上記凸部が当接するストッパを備えて、上記凹部に配した凸部をガイド溝に移動させるときの透明カバーの回転範囲が規制されている請求項１に記載の円盤型記録媒体保持体。
【請求項３】
上記収納凹部を隠蔽するカバーを備えている請求項１または２に記載の円盤型記録媒体保持体。
【発明の詳細な説明】
【技術分野】
【０００１】
本発明はＣＤ−ＲＯＭやＤＶＤ−ＲＯＭなどの円盤型記録媒体を備えた保持体に関するものである。
【背景技術】
【０００２】
近年においては、ＣＤ−ＲＯＭやＤＶＤ−ＲＯＭに多くの電子データを記録できる点と、このＣＤ−ＲＯＭやＤＶＤ−ＲＯＭなどの円盤型記録媒体に記録された電子データを再生表示する高性能のパソコンやプレイヤーなどの機器が広く一般に普及した点とから、この円盤型記録媒体にデータ量の大きい各種画像データや動画データ、サウンドデータを記録することが行われるようになり、円盤型記録媒体からなる商品として価格が比較的高い商品が多くなってきている。そして、このような商品を利用し易くするためにレンタル形態とする場合も多くなってきており、レンタル業務を行なう部所などでは、貸与者側の管理のし易さや借り手側の取り扱い易さなどを考慮して、円盤型記録媒体を専用ケースに収めた商品をさらに収納兼展示用ケースに入れて陳列することが行われている（特許文献１、２参照）。
また上述した円盤型記録媒体に着目して書籍の販売に関してこの円盤型記録媒体も情報提供の媒体として利用することが考慮されるようになってきている。例えば、書籍に掲載した情報の関連情報を円盤型記録媒体に記録し、これを書籍に組み合わせて販売することも試みられるようになってきており、前記円盤型記録媒体を組み合わせることで書籍の商品性を高める上で効果がある。
そして、円盤型記録媒体と書籍とを組み合わせる技術としては、芯ボール紙の中央にＣＤ−ＲＯＭなどの円盤型記録媒体を着脱可能に嵌合する抜き孔を設け、表面紙と裏面紙とを前記芯ボール紙に貼り付け、表面紙と裏面紙とのいずれかに出し入れ開口とすることのできる部分を設けて、使用者が開口した出し入れ開口を通して抜き孔に円盤型記録媒体を出し入れできるようにした紙製の収納ホルダがあり、この収納ホルダを書籍の表紙に一体にすることが提案されている（例えば特許文献３）。
【特許文献１】特開平０９−３１５４２５号公報
【特許文献２】特開平０９−３１５４２４号公報
【特許文献３】実用新案登録第３０７７０７３号
【発明の開示】
【発明が解決しようとする課題】
【０００３】
上述した円盤型記録媒体を書籍などと組み合わせる場合に提供される収納体は使用者が円盤型記録媒体を保管管理する収納用具として利用するものであり、配置した円盤型記録媒体を確実に保持するために、円盤型記録媒体を出し入れできる開口間口を有しつつ、出し入れ開口側に延設された張り出しを設けて、この張り出しが円盤型記録媒体と相対することで円盤型記録媒体の収納状態が安定するように図れている。例えば上記特許文献３で示されたものでは出し入れ開口を略三日月状にしてその下縁形状が上方に向けて凸となるように張り出しを設け、その張り出しを備えて上記抜き孔に重なる部分の広さが円盤型記録媒体の半面以上となるようにしている。
しかしながら、出し入れ開口の形状を円盤型記媒体の平面形状に対応させずに異形にして円盤型記録媒体をスライドさせるようにして出し入れしており、その出し入れに際して円盤型記録媒体に撓みを生じさせ易くなって割れやヒビが発生する可能性があるとともに、円盤型記録媒体の記録面と収納体の紙材とが摺接する度合いが高く、記録面を傷付けて情報の読み出しが適正に行われなくなる可能性もあった。
そこで本発明は上記事情に鑑み、書籍などと組み合わせることのできる収納体において、円盤型記録媒体をスライドさせることなく収納したり取り出したりできるようにすることを課題とし、損傷を生じさせることなく円盤型記録媒体の出し入れが容易な収納体を得ることを目的とするものである。
【課題を解決するための手段】
【０００４】
本発明は上記課題を考慮してなされたもので、台板の片面側に、ＣＤ−ＲＯＭやＤＶＤ−ＲＯＭなどの円盤型記録媒体の外周形状に対応した円穴状であって前記円盤型記録媒体が着脱可能に配置できる収納凹部と、前記収納凹部の開口周辺の複数箇所を該開口周辺に沿って凹陥されて段落とし状にして収納凹部と連続する凹部と、前記凹部に連続し前記開口周辺に沿って台板内に位置するガイド溝とを設け、前記収納凹部に配置した円盤型記録媒体を配置し、円盤型記録媒体の外周形状に対応した円盤型であって前記凹部に対応した凸部を有する透明カバーが前記円盤型記録媒体に重ねられ、透明カバーの回転により凸部を前記凹部からガイド溝に位置させ、ガイド溝に凸部を位置させて開口周辺に係止した前記透明カバーと収納凹部とで円盤型記録媒体を保持する構成としたことを特徴とする円盤型記録媒体保持体を提供して、上記課題を課題を解消するものである。
また、上記発明において、上記ガイド溝には上記凸部が当接するストッパを備えて、上記凹部に配した凸部をガイド溝に移動させるときの透明カバーの回転範囲が規制されているものとすることが良好である。
さらに、上記発明において、上記収納凹部を隠蔽するカバーを備えているものとすることが良好である。
【発明の効果】
【０００５】
請求項１の発明によれば、台紙の片面に設けられた収納凹部が円盤型記録媒体の外周形状に対応した円穴状であり、円盤型記録媒体の外周形状に対応した開口を有するものとなっている。そして円盤型記録媒体を収納しているときに重ねられている透明カバーの凸部を収納凹部の開口周辺の凸部に位置合わせすれば、透明カバーと台板との係止状態が簡単に解除され、円盤型記録媒体に重なっている透明カバーに手を添えて円盤型記録媒体が下となるようにこの円盤型記録媒体保持体全体を逆さまにすることで、簡単に円盤型記録媒体が取り出せるようになり、また、収納する場合には透明カバーが位置していない収納凹部に円盤型記録媒体を置くだけで収納凹部に位置させることができる。このように円盤型記録媒体の収納や取り出しに際して円盤型記録媒体自体をスライドさせる必要が無いとともに、円盤型記録媒体を強く台板に摺接させる操作も必要とされず、円盤型記録媒体の損傷や情報記録面の傷付きが防止できる。さらに透明カバーの台板に対する係止とその解除が透明カバーの回転操作だけで行なえ、手数を要するものとならない。
【０００６】
請求項２の発明によれば、凹部に配した透明カバーの凸部をガイド溝に移動させるときの透明カバーの回転範囲が規制されているので、不必要に透明カバーを回転させることを防止できる。
【０００７】
請求項３の発明によれば、収納凹部を隠蔽するカバーを備えているので、本円盤型記録媒体保持体からなる商品やこの円盤型記録媒体保持体を備える商品を取り扱うときに、円盤型記録媒体の不必要な取り外し操作を抑止することができ、円盤型記録媒体の不正抜き取りを防ぐことができる。
【発明を実施するための最良の形態】
【０００８】
つぎに本発明を図１から図１０に示す実施の形態に基づいて詳細に説明する。
図中１は円盤型記録媒体保持体で、該円盤型記録媒体保持体１は、方形状の紙材からなる台板２の中央に、ＣＤ−ＲＯＭやＤＶＤ−ＲＯＭなどの円盤型記録媒体Ａを着脱可能に配置することができるように円盤型記録媒体Ａの外周形状に対応して円穴状とした収納凹部３を設け、この収納凹部３に配置した前記円盤型記録媒体Ａを覆うようにして透明カバー５が取り付けられているものである。
上記台板２の収納凹部３は円盤型記録媒体Ａの厚さより大きい深さを有しているとともに、内周径は円盤型記録媒体Ａの外径より僅かながら大きく設けられており、この収納凹部３に円盤型記録媒体Ａを配置した場合でも収納凹部３の内周で円盤型記録媒体Ａを保持することはなく、円盤型記録媒体Ａを少し動かすことができるようにしている。そして、この収納凹部３における開口周辺６にあっては収納凹部３の径方向に対向する二位置に段状に凹陥した凹部７が設けられていて、この凹部７における台板２の表面からの深さは収納凹部３の深さより小さく、段落とし状にして収納凹部３と連続している（図２参照）。
さらに凹部７それぞれにあっては、この凹部７に連続し開口周辺６に沿って台板２の内側に位置するガイド溝８が設けられていて、ガイド溝８それぞれの開口周辺６から径方向への奥行寸法を凹部７の収納凹部３との境界の段差位置から凹部７の外縁までの寸法と同じとしている。そして、ガイド溝８はそれぞれの凹部７の端からその凹部７の底７ａの高さ位置にして凹部７と凹部７との間の開口周辺６の中央付近まで延設され、延設終端をストッパ９として設けている。
【０００９】
上記台板２は厚紙を重ねて形成されているもので、図３に示すように台紙１０の上に、円盤型記録媒体Ａの外周形状に対応した開口１１を中央に配した第一中紙１２を貼り合わせ、さらに、第一中紙１２の上に、上記凹部７とガイド溝８の外縁位置を外周縁とする略円状であって張り出し端を前記開口１１の内周位置に揃えた張り出し部１３が凹部７と凹部７との間の開口周辺６の中間位置に対応するようにして設けられている開口１４を中央に配した第二中紙１５を貼り合わせている。さらに、この第二中紙１５の上に、円盤型記録媒体Ａの外周形状に対応した円穴であって、凹部７を形成するための切り欠き部１６を直径方向に対向配置した開口１７を中央に配した上紙１８を貼り合わせたものであり、切り欠き部１６が第二中紙１５の開口１４に重なることで凹部７を形成するとともに、その
凹部７に連続するガイド溝８が形成され、張り出し部１３の両端が前記ストッパ９として形成されるようにしている。
【００１０】
上記構造の台板２の収納凹部３に配置した円盤型記録媒体Ａに重ねる透明カバー５は、形状変形が自由な剛性の低いものではなく、撓む程度の形状変形をする程度の剛性のある透明プラスチック板材から作成されたものであって、円盤型記録媒体Ａの外周形状に対応した円盤型とし上記凹部７に対応した凸部１９を有しているものである。そして、円盤型記録媒体Ａに重ねて前記凸部１９それぞれを凹部７に位置させた状態で、この透明カバー５を回転させることで凸部１９それぞれは凹部７から上記ガイド溝８に入り込むように設けられており、凸部１９がガイド溝８の内部に位置することでこの透明カバー５が収納凹部３の開口周辺６に係止し、透明カバー５と収納凹部３とで円盤型記録媒体Ａを保持するものである。
このように透明カバー５を被せ付けた状態で円盤型記録媒体Ａが保持されるので、円盤型記録媒体保持体１の取り扱いを行なうときでも円盤型記録媒体Ａを脱落させることはなく安全に保持でき、透明カバー５を通して円盤型記録媒体Ａの確認も容易に行える。円盤型記録媒体Ａの取り外しは、前記透明カバー５の凸部１９を凹部７に合わせてから、透明カバー５に手を添えながら保持体全体を表裏逆さまにすればよく、収納凹部３から簡単に円盤型記録媒体Ａが取り出される。
【００１１】
上述したように円盤型記録媒体Ａの取り外しに際してこの円盤型記録媒体Ａをスライドさせて取り出すということはなく、また収納凹部３に戻す場合でも円盤型記録媒体Ａを収納凹部３に置くという操作をすればよいものであるため、出し入れに際して円盤型記録媒体Ａの情報記録面を強く台板２などに強く摺る状態が発生せず、情報記録面の傷付けを防止できる。勿論、円盤型記録媒体Ａ自体を撓ませる状態が発生することもない。なお、透明カバー５の回転操作角度は少なく、また上述したようにストッパ９によって回転範囲が規制されて自由回転しないようにしているため、透明カバー５の回転操作で円盤型記録媒体Ａに傷を付けることはない。
【００１２】
上述した実施の例の円盤型記録媒体保持体１では透明カバー５を通して円盤型記録媒体Ａが目視でき、また透明カバー５を直接操作できるものとなっているが、商品形態としてつぎに示す例の形態とすることができる。図４は他の例による商品形態を示していて、台紙２の上面を収納凹部３も含めて、透明或いは半透明、または不透明なカバー２０で被ったものであり、このようにすることで透明カバー５に対する不正な回転操作を防止することができる。
また、図５は上記上紙１８の開口１７の形状に合致して、その開口１７に着脱可能に嵌め入れた蓋としてのカバー２０を有する例を示していて、カバー２０を安定的に位置させるために接着テープ２１にて止め付けたものである。この例では商品を正規に取り扱うことのできる者、例えば商品購入者が前記カバー２０を取り外せば上述した方法で簡単に円盤型記録媒体Ａを取り出すことができる。
さらに、図６は上紙１８の開口１７を、ミシン目などの切り取り部２２で区画形成された閉鎖部２３で閉鎖したものであり、この閉鎖部２３を取り除くことで開口１７が形成されるようにしていて、円盤型記録媒体Ａの不正な取り出しを抑止する上で効果が高いものである。
なお、本円盤型記録媒体保持体１において、凹部は二ヶ所に限定されるものでなく、二ヶ所以上あればよい。
【００１３】
図７〜１０は円盤型記録媒体保持体１を用いた商品形態として一つの例を示していて、書籍と円盤型記録媒体保持体１とを組み合わせて展示陳列できるようにした組み合わせ収納体２４を示している。この組み合わせ収納体２４は、箱本体２５の出し入れ口２６を、その箱本体２５の面板の側辺にファスナ部２７を介して連接された仕切り板２８で仕切り、出し入れ口２６の開放されている側に書籍２９を出し入れ可能に収納し、さらに出し入れ口２６の前記ファスナ部２７で閉じられている側の空間に円盤型記録媒体保持体１を収納したものである。
上記箱本体２５は例えば紙製のものであって、図８の展開状態で示されているように、前面板３０と側面板３１と背面板３２とが折り罫を介して連接され、前面板３０と側面板３１と背面板３２とのそれぞれの上辺部に折り罫を介して連接されている天面板構成片３３を相互に貼り合わせて天面板３４を形成しているとともに、前面板３０と側面板３１と背面板３２とのそれぞれの下辺部に折り罫を介して連接されている底面板構成片３５を相互に貼り合わせて底面板３６を形成している。
そして、前記ファスナ部２７は背面板３２の出し入れ口２６側の辺部に位置し、このファスナ部２７から箱本体２５の内部に入るようにして仕切り板２８が連接されている。ファスナ部２７は略へ字状のカット目３７とタイ３８とを交互にしたカットラインを二条にして平行に配置したものであり、カットラインそれぞれを９０度の折り部とすることで前記仕切り板２８が箱本体２５の内部に配される。
さらに、仕切り板２８は箱本体２５の高さ方向の寸法を背面板３２の高さ方向の寸法より少し小さくするとともに、箱本体２５の奥行方向（側面板３１と出し入れ口２６とが対向する方向）の寸法が、出し入れ口２６の間口方向（前面板３０と背面板３２とが対向する方向）の寸法に比べて十分に大きく設定されていて、出し入れ口２６の位置から奥行方向の中間位置に達する長さとしている。
【００１４】
上述したように箱本体２５では出し入れ口２６から仕切り板２８を折り返すようにして箱本体２５の内部に差し入れていて、その仕切り板２８の上記ファスナ部２７側の辺部を出し入れ口２６に位置させることで、この出し入れ口２６が書籍出し入れ口３９と円盤型記録媒体出し入れ口４２とに仕切られ、箱本体２５の内部に、開放した書籍出し入れ口３９に連続する書籍収納部４１と、ファスナ部２７によって閉じられた円盤型記録媒体保持体出し入れ口４２に連続する円盤型記録媒体収納部４３とがそれぞれ奥行方向に形成されている。
仕切り板２８の奥行方向での寸法は側面板３１に達する大きさであってもよい。また、円盤型記録媒体保持体出し入れ口４２を閉じるファスナ部２７にあっては、商品の購入者などの正規に資格のある者のみが、円盤型記録媒体保持体収納部４３から円盤型記録媒体保持体１を取り出すときに切り取ることができるものであればよく、タイ３８それぞれの長さ寸法は、ファスナ部２７の切り取り操作に或る程度の抵抗が生じる長さに設定されていて、これによって、ファスナ部２７を切り取ったときにはタイであった部分が凸となる破断跡が背面板３２の出し入れ口側の辺部に形成されるようにしている（図１０参照）。
また、組み合わせ収納体２４にあっては、箱本体２５に円盤型記録媒体保持体１の出し入れに際して円盤型記録媒体Ａは保護されているので、円盤型記録媒体Ａに損傷を与えることはない。
【図面の簡単な説明】
【００１５】
【図１】本発明に係る円盤型記録媒体保持体の一例を示す説明図である。
【図２】一例を断面で示す説明図である。
【図３】台板を分離した状態で示す説明図である。
【図４】他の実施の例を示す説明図である。
【図５】同じく他の実施の例を示す説明図である。
【図６】同じく他の実施の例を示す説明図である。
【図７】組み合わせ収納体の例を示す説明図である。
【図８】組み合わせ収納体における箱本体を展開状態で示す説明図である。
【図９】箱本体を断面で示す説明図である。
【図１０】組み合わせ収納体における円盤型記録媒体保持体を取り出した状態を示す説明図である。
【符号の説明】
【００１６】
１…円盤型記録媒体保持体
２…台板
３…収納凹部
５…透明カバー
６…開口周辺
７…凹部
８…ガイド溝
９…ストッパ
１０…台紙
１２…第一中紙
１５…第二中紙
１８…上紙
１９…凸部
２０…カバー
２２…切り取り部
２３…閉鎖部
２４…組み合わせ収納体
Ａ…円盤型記録媒体
【図１】
2006123969.tif 000003
【図２】
2006123969.tif 000004
【図３】
2006123969.tif 000005
【図４】
2006123969.tif 000006
【図５】
2006123969.tif 000007
【図６】
2006123969.tif 000008
【図７】
2006123969.tif 000009
【図８】
2006123969.tif 000010
【図９】
2006123969.tif 000011
【図１０】
2006123969.tif 000012